(57)【要約】      （修正有）【課題】外出する時に、携帯されて、ペットに給水又は給食するために利便であり、使用が簡単、衛生であり、実用性が強いペット戸外飲水装置を提供する。【解決手段】ペット戸外飲水装置は、瓶蓋２及び飲水碗３を含み、瓶蓋頂端に排水口を開設し、飲水碗は瓶蓋に固定され、弾性材料により製造され、使用しない時には、折り戻して瓶体１と一体になり、使用する時には瓶体から折り離れ、碗型に形成される。飲水碗にはさらに蓋３１又は瓶栓が設置され、蓋又は瓶栓は飲水碗に接続され、瓶蓋の排水口をカバーする。【選択図】図５
0003206565.tif 000002
【実用新案登録請求の範囲】
【請求項１】
瓶蓋及び飲水碗を含み、前記瓶蓋の頂端に排水口を開設し、前記飲水碗が前記瓶蓋に固定され、前記飲水碗が弾性材料により製造され、使用しない時に折り戻して瓶体と一体となるように貼り合わせ、使用時に瓶体から折り離れて、碗型に形成し、
前記飲水碗にさらに蓋又は瓶栓が設置され、前記蓋又は瓶栓が前記飲水碗に接続され、前記蓋又は瓶栓が前記瓶蓋の排水口をカバーするために用いられる
ことを特徴とするペット戸外飲水装置。
【請求項２】
前記瓶蓋が上瓶蓋および下瓶蓋を含み、前記上瓶蓋が前記下瓶蓋に設置され、前記下瓶蓋が前記上瓶蓋より大きいことを特徴とする請求項１に記載のペット戸外飲水装置。
【請求項３】
前記上瓶蓋および前記下瓶蓋が一体成型されることを特徴とする請求項２に記載のペット戸外飲水装置。
【請求項４】
前記瓶蓋上に凹溝が設置され、飲水碗が接続部を介して係止リングに接続され、前記係止リングが凹溝に係止して固定されることを特徴とする請求項１に記載のペット戸外飲水装置。
【請求項５】
前記瓶蓋および前記飲水碗が一体成型されることを特徴とする請求項１に記載のペット戸外飲水装置。
【請求項６】
前記弾性材料がシリコーンゴム、ＴＰＲ材料を含むことを特徴とする請求項１に記載のペット戸外飲水装置。
【請求項７】
前記蓋又は瓶栓と前記飲水碗とが一体成型されることを特徴とする請求項１に記載のペット戸外飲水装置。
【請求項８】
前記瓶蓋の排水口が円口又は切口であることを特徴とする請求項１に記載のペット戸外飲水装置。
【請求項９】
前記排水口の切口がシリコーンゴム蓋に設置され、前記シリコーンゴム蓋にさらにプラスチックリングが設置され、前記プラスチックリングがシリコーンゴム蓋を固定することに用いられることを特徴とする請求項７に記載のペット戸外飲水装置。
【請求項１０】
前記瓶蓋内に密封リングが設置され、前記瓶蓋にさらにイヤリングが設置されることを特徴とする請求項１〜８のいずれか１項に記載のペット戸外飲水装置。
【考案の詳細な説明】
【技術分野】
【０００１】
本考案は動物用品技術分野に関し、具体的には、ペット戸外飲水装置に関する。
【背景技術】
【０００２】
人々の生活水準の高まりに従い、現代社会では、ペットを飼う家庭がますます多くなっていて、時代の進歩につれて、ペットを飼う方式も変化している。動物に対する伝統的な給水方式は特定の場所に水又は他の液体を入れる容器をセットし、動物は頭を下げて舐め、又は飲水器を用いて水管に接続して吸う。しかしながら、今、ペットが家にいるだけでなく、人類の友達として、一緒に様々な場所に出る。外出して戸外で活動する時に、動物に対して食物及び清潔な飲用水を提供するため、様々な容器、例えば、飲水瓶等を携帯する必要があり、明らかに、戸外でペットに給食や給水することが非常に不便な問題であり、この問題を早急に解決しなければならない。
【考案の概要】
【考案が解決しようとする課題】
【０００３】
これを鑑みて、上述した問題に対して、本考案が戸外での使用に利便であるペット戸外飲水装置を提供する。
【課題を解決するための手段】
【０００４】
上記の目的を実現するために、本考案は以下の技術的方案を用いる。
【０００５】
本考案のペット戸外飲水装置は、瓶蓋及び飲水碗を含み、前記瓶蓋頂端に排水口を開設し、前記飲水碗が前記瓶蓋に固定され、前記飲水碗が弾性材料により製造され、使用しない時に折り戻して瓶体と一体に貼り合わせ、使用時に瓶体から折り離れて碗型を形成し、
前記飲水碗にさらに蓋又は瓶栓が設置され、前記蓋又は瓶栓が前記飲水碗に接続され、前記蓋又は瓶栓が前記瓶蓋の排水口をカバーするために用いられる。
【０００６】
さらに、前記瓶蓋が上瓶蓋および下瓶蓋を含み、前記上瓶蓋が前記下瓶蓋に設置され、前記下瓶蓋が前記上瓶蓋より大きい。
【０００７】
さらに、前記上瓶蓋および前記下瓶蓋が一体成型される。
【０００８】
さらに、前記瓶蓋上に凹溝が設置され、飲水碗が接続部を介して係止リングに接続され、前記係止リングが凹溝に係止して固定される。
【０００９】
さらに、前記瓶蓋および前記飲水碗が一体成型される。
【００１０】
さらに、前記弾性材料はシリカゲル、ＴＰＲ材料等の軟性材料を含む。
【００１１】
さらに、前記蓋又は瓶栓と前記飲水碗とが一体成型される。
【００１２】
さらに、前記瓶蓋の排水口が円口又は切口である。
【００１３】
さらに、前記排水口の切口がシリコーンゴム蓋に設置され、前記シリコーンゴム蓋にさらにプラスチックリングが設置され、前記プラスチックリングがシリコーンゴム蓋を固定するために用いられる。
【００１４】
さらに、前記瓶蓋内に密封リングが設置される。
【００１５】
さらに、前記瓶蓋にさらにイヤリングが設置される。
【考案の効果】
【００１６】
本考案の有益な効果は以下のとおりである。
【００１７】
本考案の瓶蓋は同時に２種の異なる口径の瓶に適し、通用性が強く、かつ瓶蓋が一体成型され、取付が簡単で、使用が便利である。飲水碗が湾曲でき、折った後に碗状に形成し、ペットに給水又は給食し、給水又は給食する時に、別の碗は要らず、水瓶により直接使用し、使用した後折り戻せば瓶と一体になり、使用及び携帯に便利である。
【図面の簡単な説明】
【００１８】
【図１】本考案に係るペット戸外飲水装置の全体を示す図である。
【図２】本考案に係るペット戸外飲水装置の蓋を開けた後の構成を示す図である。
【図３】本考案に係るペット戸外飲水装置の瓶蓋と飲水碗とを組み合わせた後の構成を示す図である。
【図４】本考案に係るペット戸外飲水装置の飲水碗を開いた後の構成を示す図である。
【図５】本考案に係るペット戸外飲水装置の分解図である。
【図６】本考案に係るペット戸外飲水装置の他の方案の全体を示す図である。
【符号の説明】
【００１９】
１、瓶体；２、瓶蓋；２１、上瓶蓋；２２、下瓶蓋；２３、凹溝；２４、密封リング；２５、シリカゲル蓋；２６、プラスチックリング；２７、イヤリング；３、飲水碗；３１、蓋；３２、接続部；３３、係止リング；３４、瓶栓。
【考案を実施するための形態】
【００２０】
本考案の目的、技術的方案及びメリットをさらに明確にするため、以下、本考案の実施例を合わせて、本考案の技術的方案をさらに詳細で且つ全体的に記載する。記載される実施例はただ本考案の実施例の一部であるが、すべての実施例ではない。本考案における実施例に基づき、当業者が創造的な労働をしなかった場合に取得した他の実施例はいずれも本考案の保護範囲に含まれる。
【００２１】
［実施例１］
図１及び図２に示すように、本考案のペット戸外飲水装置が瓶蓋２及び飲水碗３を含む。前記瓶蓋２頂端に排水口を開設し、前記飲水碗３が前記瓶蓋２に固定される。
【００２２】
前記瓶蓋２の直径が市場の普通瓶蓋の直径と同一であり、市場の瓶に適し、強い通用性を有する。瓶体１に回転接続されるためのネジ山が瓶蓋２の内側に設置され、瓶体１が市場の普通の飲料瓶を用いてもよい。
【００２３】
前記飲水碗３にさらに蓋３１が設置され、前記蓋３１が前記飲水碗３と一体成型される。前記蓋３１が前記排水口を覆うことに用いられる。前記瓶蓋２の排水口が小さな円口であり、大気圧の作用により、蓋３１を閉じた後は水が出にくい。蓋３１を開けた後に、水瓶を押圧し、瓶内気圧を大きくすれば、水が自動的に流出する。
【００２４】
図３に示すように、前記瓶蓋２が上瓶蓋２１及び下瓶蓋２２を含み、前記上瓶蓋２１が前記下瓶蓋２２上に設置され、前記下瓶蓋２２が前記上瓶蓋２１より大きく、これによって、２種の異なる瓶口寸法の瓶体１に適し、通用性が強い。前記上瓶蓋２１と前記下瓶蓋２２とが一体成型され、取付が簡単であり、使用が便利である。前記上瓶蓋２１の瓶口寸法が２７ｍｍ又は３０ｍｍであり、下瓶蓋２２が３８ｍｍであり、対応する前記瓶体１が国際上の通用瓶口の標準で、２７ｍｍ、３０ｍｍ、３８ｍｍという３種の普通の瓶口である。
【００２５】
前記飲水碗３が弾性材料により製造され、使わない時に、折り戻せば、瓶体１と一体になり、使う時には瓶体１から折り離れ、碗状になる（図４を参照）。前記飲水碗３の弾性材料がシリコーンゴム、ＴＰＲ又は他の軟性ゴム材料であってもよい。弾性体材料の特性を利用し、使用時に、前記飲水碗３を開いて角を成し、この角は、戸外給水、給食の姿勢角度の習慣に応じて、人間工学原理で設計したものである。飲水碗３を開いて瓶体１から離れた後に碗体を形成し、動物に給水することが利便であり、使用が衛生、簡単であり、片手で操作でき、様々な場合に適する。
【００２６】
図４、図５に示すように、前記飲水碗３は一側が高く、他側が低く、低い側が２本の筋状の接続部３２により係止リング３３に接続されることにより、飲水碗３を開いた時に、低い側が筋で接続されるので、開きすぎる状態にはなりにくく、一定の角を成す。前記飲水碗３の低い側の材料が厚く、高い側の材料が薄く、開く時に、低い側が材料により開きにくく、引く作用を果たし、これによって、開いた後に形成した碗体が一定の角度を形成する。
【００２７】
前記下瓶蓋２２に凹溝２３が設置され、飲水碗３が接続部３２を介して係止リング３３に接続される。前記係止リング３３が凹溝２３に係止して固定される。
【００２８】
［実施例２］
図５に示すように、本実施例２と実施例１の主な差異は、前記瓶蓋２の排水口が大きな口であり、大きな口の排水口にシリコーンゴム蓋２５が設置され、前記シリコーンゴム蓋２５に切口が開設され、シリコーンゴム蓋２５にプラスチックリング２６が設置され、前記プラスチックリング２６が排水口に係止され、シリコーンゴム蓋２５を固定し、シリコーンゴム蓋２５の密封作用により、水が出ることができなく、力を使って水瓶を押圧すると、瓶内気圧が大きくなり、切口が開き、水が流出する。
【００２９】
本考案の排水口が小さい場合に給水に用いられ、排水口が大きい時に給食に用いられる。
【００３０】
［実施例３］
本実施例３と実施例１、２の主な差異は、瓶体１ごとの具体的な瓶口寸法に応じて、シリコーンゴム又はＴＰＲ等の軟性材料を用いて瓶蓋及び飲水碗３を一体に設計し（図６を参照）、瓶蓋にネジ山を設置せず、瓶蓋に排水口が設置され、排水口に切口があり、シリコーンゴム又はＴＰＲ等の軟性材料の弾性及び密封性等の特性を利用し、それが一体となり同一タイプの瓶体１をカバーする。飲水碗３にさらに瓶栓３４が設置され、前記瓶栓３４が排水口の切口に接続され、使用しない時に、瓶栓３４をカバーし、水が出ないようにし、使用する時に、瓶栓３４を開き、飲水碗３を開き、碗状に形成し、使用した後は、飲水碗３を折り戻し、瓶体に貼り合せる。本実施例の構成がさらに簡単であり、部品の数が少ない。
【００３１】
さらに密封作用を増加させるために、前記瓶蓋２内にさらに密封リング２４が設置される。
【００３２】
掛けるために、前記瓶蓋２にさらにイヤリング２７が設置される。
【００３３】
以上に記載の実施例は本考案のいくつかの実施形態を示し、その記載が具体的で、詳細であるが、本考案の範囲はこれらによって限られない。当業者にとって、本考案の発想から脱逸しない場合に、若干の変形や改進などをしてもよく、これらはいずれも本考案の保護範囲に含まれるものである。このため、本考案の保護範囲は実用新案登録請求の範囲を基準とするものである。
【図１】
0003206565.tif 000003
【図２】
0003206565.tif 000004
【図３】
0003206565.tif 000005
【図４】
0003206565.tif 000006
【図５】
0003206565.tif 000007
【図６】
0003206565.tif 000008